(57)【要約】      （修正有）【課題】送信機に内蔵される構成部材に対する浸水による悪影響を削減する。【解決手段】取り付け状態において各種作業が行われる可能性が高い構成部材用の内蔵スペースと他と構成部材用の内蔵スペースとに区画し、内蔵スペースが各構成部材を個別に内蔵するように区画して、当該各内蔵スペースを開閉する蓋部を個別に備える。【選択図】図２
2007036825.tif 000002
【特許請求の範囲】
【請求項１】
防水構造を備えたケースに設けられた内蔵スペースに構成部材を内蔵してなる送信機において、
少なくとも、取り付け状態において各種作業が行われる可能性が高い構成部材用の内蔵スペースと他の構成部材用の内蔵スペースとに区画し、当該各内蔵スペースを開閉する蓋部を個別に備えたことを特徴とする送信機。
【請求項２】
内蔵スペースを全ての各構成部材を個別に内蔵するように区画していることを特徴とする請求項１に記載の送信機。
【請求項３】
送信機に接続されるケーブルを内蔵スペースに挿通させてその内蔵スペースでコネクターに接続するようにしたことを特徴とする請求項１又は請求項２に記載の送信機。
【請求項４】
内蔵スペースの一部を構成する側壁に、内蔵スペースの開放端縁から底部方向へ向かって切欠き形成された挿通部を備える一方、蓋部に前記挿通部に対してその開放部側から嵌合する嵌合部を備え、当該嵌合部の嵌合状態において対面する前記挿通部の下端部と嵌合部の先端部とに、夫々ケーブル挟持部を形成し、当該ケーブル挟持部を対面させることによって、ケーブルの断面形状と略同径とするケーブル挿通空間が形成されることを特徴とする請求項１乃至請求項３何れか１項に記載の送信機。
【請求項５】
内蔵スペースの内側に適合状に嵌合される蓋状パッキングにより防水構造が構成されるものであり、当該蓋状パッキングを密着状に支持する支持突起を内蔵スペースの内側周囲に設け、当該支持突起の上面に、前記挿通部のケーブル挟持部とケーブル挿通方向に同形状で連続するケーブル嵌合溝を形成する一方、蓋状パッキングに前記ケーブル嵌合溝と対面するとともに、前記嵌合部のケーブル挟持部とケーブル挿通方向に同形状で連続するケーブル嵌合溝を形成し、当該蓋状パッキングを内蔵スペースに嵌合するときに、前記両ケーブル嵌合溝を対面させた状態で、ケーブル挿通空間と同形状で連続するケーブル挟持空間が形成され、当該ケーブル挟持空間にケーブルが密着状に挿通するとともに、蓋状パッキングが支持突起に密着することによって、防水構造を構成することを特徴とする請求項４に記載の送信機。
【請求項６】
コネクターを内蔵する内蔵スペースが少なくとも２箇所備えられていることを特徴とする請求項１乃至請求項５何れか１項に記載の送信機。
【請求項７】
ケーブル挿通空間及びケーブル挟持空間に密着状に嵌合する栓蓋で、ケーブル挿通空間及びケーブル挟持空間による貫通孔を塞ぐことで防水構造を構成していることを特徴とする請求項６に記載の送信機。
【発明の詳細な説明】
【技術分野】
【０００１】
本発明は、例えば、各種センサーから入力された情報を受信機に送信する送信機に関し、詳しくは、主に、屋外にて使用するのに好適な送信機に関する。
【背景技術】
【０００２】
主に屋外にて使用される送信機の先行技術文献情報として、例えば、下記の特許文献１，２が有る。
この特許文献１，２に記載の発明は、送信機がシャッターの下端部の座板に露出状に取り付けされていて、シャッターの降下中に障害物が座板に接触したときに、この接触をセンサーが感知し、当該センサーから入力された感知情報を前記送信機が受信機へ送信し、受信された感知情報を制御手段が処理して、シャッターの降下動作を停止等させるようにしたものである。
【特許文献１】特開平９−２４２４４９号公報(〔図２〕)
【特許文献２】特開平１０−４６９６２号公報(〔図１〕〜〔図５〕)
【発明の開示】
【発明が解決しようとする課題】
【０００３】
ところで、一般的な送信機は、ケースにコネクター、コネクターケーブル、基盤、電源(電池ボックス、外部電源回路、電源ケーブル等)等の構成部材を内蔵して構成されていて、このような送信機を前記特許文献１，２に記載のように使用する場合には、ケース内に浸水しないように防水構造を備えている。
又、前記ケースの構造の一例として、前記全ての構成部材が一箇所に内蔵される内蔵スペースと、当該内蔵スペースを塞ぐ蓋体を有し、これら内蔵スペースと蓋体との間に水密性を確保するためのパッキングを介在して、防水構造を構成している。
【０００４】
前記構成の送信機の場合、前記ケースの構造の場合、前記内蔵スペースに全ての構成部材が内蔵されるものであるため、仮に、コネクターに他のケーブルを配線する作業や電池の交換時等で蓋を開ける際にケース内に浸水すると、その水が当該構成部材ばかりでなく、他の構成部材に影響して、例えば、基盤や電源回路がショートしたり腐食したりする等の要因となる虞が有る。
また、万が一、閉蓋が不完全であった場合にも、雨水等が浸水することによって、前記と同様に全ての構成部材に悪影響を及ぼす虞が有る。
【０００５】
そこで本発明は、送信機に内蔵される構成部材に対する浸水による悪影響を削減することを課題とし、この課題を解決する新規な防水構造を有する送信機の提供を目的とする。
【課題を解決するための手段】
【０００６】
前記目的を達成するために採用した第１発明は、防水構造を備えたケースに設けられた内蔵スペースに構成部材を内蔵してなる送信機において、少なくとも、取り付け状態において各種作業が行われる可能性が高い構成部材用の内蔵スペースと他の構成部材用の内蔵スペースとに区画し、当該各内蔵スペースを開閉する蓋部を個別に備えたことを特徴とする送信機にしたことである。
【０００７】
ここでいう送信機は、主に屋外で使用され、各種センサーから入力された情報を受信機に送信する送信機であって、例えば、オーバーヘッドドアを含むシャッター装置、ロールスクリーン、ブラインド、オーニング装置、門扉、ゲート、引戸を含むドア装置、スライディングウォール装置等、開閉体が閉鎖することで構造物等の空間部分を仕切るようにした開閉装置の障害物感知装置の送信機として用いることができる。
又、構成部材とは、例えば、コネクター、コネクターケーブル、基盤、電源(電池ボックス、外部電源回路、電源ケーブル等)等の送信機を構成する上で必要な全ての構成部材である。
又、取り付け状態において各種作業が行われる可能性が高い構成部材とは、例えば、センサーのケーブルが接続されるコネクターや、電池交換が行われる電池ボックスである。
又、各種作業とは、例えば、前記ケーブル接続や電池交換等、送信機の取り付け状態で行われる作業である。
尚、本発明における送信機は、前記屋外で使用されるものに限定するものではなく、屋内用としても使用でき、特に、水がかかる虞のある場所や水が流下する虞が有る場所に好適に使用できる。
又、本発明における送信機は、前記開閉装置の障害物感知装置以外の感知装置の送信機にも適用できる。
【０００８】
前記内蔵スペースは、少なくとも、各種作業が必要な構成部材用の内蔵スペースと他の構成部材用の内蔵スペースとに区画したものであればよいが、浸水による他の構成部材への悪影響を更に削減するために、第２発明では、内蔵スペースを全ての各構成部材を個別に内蔵するように区画していることを特徴とする送信機にした。
【０００９】
又、前記取り付け状態において各種作業が行われる可能性が高い構成部材であるコネクターと、センサーにおけるケーブルとの接続形態として、内蔵スペースからコネクターを送信機の外側へ挿通させてケーブルを接続する形態、又は、ケーブルを内蔵スペースに挿通させてその内蔵スペースでコネクターに接続する形態が例示できるが、送信機を屋外等、特に、水がかかる虞のある場所や水が流下する虞が有る場所で使用する場合において、防水がされていない接続部分を雨水等から保護するために、第３発明のように、ケーブルを内蔵スペースに挿通させてその内蔵スペースでコネクターに接続するようにしたことを特徴とする送信機が好ましい。
【００１０】
前記第３発明の場合、ケースにケーブル引き込み用の挿通部を必要とするが、ケーブルを内蔵スペースに引き込む作業の容易性の確保のために第４発明では、内蔵スペースの一部を構成する側壁に、内蔵スペースの開放端縁から底部方向へ向かって切欠き形成された挿通部を備える一方、蓋部に前記挿通部に対してその開放部側から嵌合する嵌合部を備え、当該嵌合部の嵌合状態において対面する前記挿通部の下端部と嵌合部の先端部とに、夫々ケーブル挟持部を形成し、当該ケーブル挟持部を対面させることによって、ケーブルの断面形状と略同径とするケーブル挿通空間が形成されることを特徴とする送信機にした。
【００１１】
前記第４発明において、ケーブル挿通空間と当該ケーブル挿通空間に挿通されたケーブルとの間の防水構造として、例えば、パッキングやコーキング等で水密を確保する防水構造が挙げられる。
その防水構造の好ましい構造として、第５発明では、内蔵スペースの内側に適合状に嵌合される蓋状パッキングにより防水構造が構成されるものとし、当該蓋状パッキングを密着状に支持する支持突起を内蔵スペースの内側周囲に設け、当該支持突起の上面に、前記挿通部のケーブル挟持部とケーブル挿通方向に同形状で連続するケーブル嵌合溝を形成する一方、蓋状パッキングに前記ケーブル嵌合溝と対面するとともに、前記嵌合部のケーブル挟持部とケーブル挿通方向に同形状で連続するケーブル嵌合溝を形成し、当該蓋状パッキングを内蔵スペースに嵌合するときに、前記両ケーブル嵌合溝を対面させた状態で、ケーブル挿通空間と同形状で連続するケーブル挟持空間が形成され、当該ケーブル挟持空間にケーブルが密着状に挿通するとともに、蓋状パッキングが支持突起に密着することによって、防水構造を構成することを特徴とする送信機にした。
ここでいう蓋状パッキングの素材としては、例えば、ゴム材や合成樹脂材等の周知の素材が挙げられる。
【００１２】
又、送信機の取り付け時におけるケーブル配線が煩雑にならないようにするために、第６発明では、コネクターを内蔵する内蔵スペースが少なくとも２箇所備えられていることを特徴とする送信機にしたことを特徴とする送信機にした。
【００１３】
又、第６発明の場合、使用していないコネクターを内蔵する内蔵スペースには、前記ケーブル挿通空間及びケーブル挟持空間による貫通孔が存在し、この孔からの浸水を防ぐための防水構造を設ける必要がある。
そこで、前記防水構造の構成として、第７発明では、前記ケーブル挿通空間及びケーブル挟持空間に密着状に嵌合する栓蓋で、ケーブル挿通空間及びケーブル挟持空間による貫通孔を塞ぐことで防水構造を構成していることを特徴とする送信機にした。
ここでいう栓蓋の素材としては、例えば、ゴム材や合成樹脂材等の周知の素材が挙げられる。
【発明の効果】
【００１４】
本発明によれば、下記の優れた効果が期待できる。
第１発明によれば、取り付け状態において各種作業が行われる可能性が高い構成部材用の内蔵スペースと他の構成部材用の内蔵スペースとに区画しているので、仮に、取り付け状態において各種作業が行われる可能性が高い構成部材用の内蔵スペースに浸水しても他の内蔵スペースへの浸水を防ぐことができ、その逆の場合も浸水を防ぐことができる。
したがって、浸水していない内蔵スペースの構成部材をその水から保護することができるので、送信機に内蔵される構成部材に対する浸水による影響を削減できる。
【００１５】
又、第２発明によれば、内蔵スペースを全ての各構成部材を個別に内蔵するように区画しているので、送信機に内蔵される構成部材に対する浸水による影響の削減という点で、更に効果的である。
【００１６】
又、第３発明によれば、内蔵スペース内にケーブルの接続部が有るので、送信機を屋外等で使用する場合において、防水がされていない接続部を雨水等から保護することができる。
【００１７】
また、第４発明によれば、ケーブルを内蔵スペース内に引き込む作業を容易に行うことができ、しかも、第５発明によれば、第４発明の構造の内蔵スペースの防水構造を構成することができる。
【００１８】
又、第６発明によれば、送信機に配線されるケーブルを、当該ケーブルの接続側に近い方向の内蔵スペースのコネクターを使用することができるので、ケーブルの長さを必要最低限とすることができ、これによって、ケーブル配線を煩雑にしてしまうことを防ぐことができる。
そして、第７発明によれば、第６発明の送信機において、使用していない内蔵スペースの防水構造を構成することができる。
【発明を実施するための最良の形態】
【００１９】
以下、本発明の送信機を実施するための最良の形態を図面に基づいて説明する。
尚、以下の説明において、「開閉体厚さ方向」とは、閉鎖状態の前記開閉体の厚さ方向を意味する。
また、「開閉体幅方向」とは、開閉体の開閉方向と略直交する方向であって、前記開閉体の厚さ方向ではない方向を意味する。
また、「開閉体開閉方向」とは、開閉体が空間を仕切ったり開放したりするためにスライドする方向を意味する。
【００２０】
本形態で例示する送信機１は、開閉方向を上下方向とする開閉体装置Ａに取り付けられて、その開閉体Ａ１の降下中に障害物Ｂが座板部材Ａ１３に接触したときに、この接触をセンサー２が感知し、当該センサー２から入力された感知情報を前記送信機１が受信機３へ送信し、受信された感知情報を制御手段(図示せず)が処理して、開閉体Ａ１の降下動作を停止させたり反転上昇動作させたり等する障害物感知装置に用いられるものである(図１参照)。
【００２１】
本形態で例示する開閉体装置Ａは、住宅やビル、倉庫、工場、地下街、トンネル、車両の荷台等の構築・構造物における開口部分や内部に配設され、前記開口部分を開閉したり、躯体内部の空間を仕切ったり開放したりするシャッター装置である。
又、開閉体装置Ａは、開閉体閉鎖方向の端部を開閉方向へスライドさせて開閉動作する開閉体Ａ１と、当該開閉体幅方向の両端部を開閉方向へ案内する左右のガイドレールＡ２，Ａ２と、開閉体開放方向側で開閉体Ａ１を巻き取ったり繰り出したりする巻取装置Ａ３と、前記障害物感知装置とから構成されている。
【００２２】
開閉体Ａ１は、横長略矩形状の所謂スラットＡ１１を、互いに回動するように上下に複数連接することで、開閉体本体Ａ１２を構成し、この開閉体本体Ａ１２の下側(閉鎖方向側)の端部に、床面や地面、枠部材等の当接対象部位に当接させるための座板部材Ａ１３を、開閉体幅方向に亘って接続している。
尚、本形態では、開閉体Ａ１における開閉体本体Ａ１２の構成を、複数のスラットを連設したもので例示しているが、開閉体本体Ａ１２の他の構成として、複数のパイプをリンク部材により連接してなる構成や、単数もしくは複数のパネルやシート状物・ネット状物を設けてなる構成、あるいは、スラットとパイプ等を適宜組み合わせてなる構成等が例示できる。
ガイドレールＡ２は、開閉体幅方向の端部を開閉方向へ案内する部材であり、開閉体幅方向の両端部側の各々に、開閉体開閉方向へ亘って配設されている。
巻取装置Ａ３は、収納ケースＡ３１内に内蔵された巻取軸(図示せず)によって開閉体本体Ａ１２を巻取り、当該巻取軸から繰り出すようにしたものである。
【００２３】
本形態の障害物感知装置は、前記座板部材Ａ１３に取り付けられた送信機１と、当該送信機１にケーブル２１を介して接続されるセンサー２と、巻取装置Ａ３側に前記送信機１と略対面するように取り付けられた受信機３とを備えて構成されている。
尚、感知情報は、送信機から光信号や電波信号等により受信機に向けて発信される。
【００２４】
前記送信機１は、当該送信機１を構成する構成部材であるコネクターＣ１、コネクターケーブルＣ２、基盤Ｃ３、電源(以下、「電池ボックス」と云う)Ｃ４を有し、これら各構成部材をケース１０に形成された内蔵スペースＳに内蔵して構成されている(図２参照)。
内蔵スペースＳは、コネクターＣ１、コネクターケーブルＣ２を内蔵する第１内蔵スペースＳ１及び第２内蔵スペースＳ２と、基盤Ｃ３を内蔵する第３内蔵スペースＳ３と、電池ボックスＣ４を内蔵する第４内蔵スペースＳ４とに区画されている。
又、前記各内蔵スペースＳ１，Ｓ２，Ｓ３，Ｓ４には、当該各内蔵スペースＳ１，Ｓ２，Ｓ３，Ｓ４を開閉する蓋部Ｓ１０，Ｓ２０，Ｓ３０，Ｓ４０が個別に備えられている。
又、各内蔵スペースＳ１，Ｓ２，Ｓ３，Ｓ４と、蓋部Ｓ１０，Ｓ２０，Ｓ３０，Ｓ４０との間には、防水構造が構成されている。
前記各内蔵スペースＳ１，Ｓ２，Ｓ３，Ｓ４は、開閉体Ａ１の幅方向に沿って図面上左側から第１内蔵スペースＳ１，第４内蔵スペースＳ４，第３内蔵スペースＳ３，第２内蔵スペースＳ２の順で形成されている。
又、第１内蔵スペースＳ１及び第２内蔵スペースＳ２並びに第４内蔵スペースＳ４は、送信機１の取り付け状態において、開閉体幅方向に沿い、且つ蓋部Ｓ１０，Ｓ４０，Ｓ２０の方向が開閉体本体Ａ１２とは逆側に向くようにされ、第３内蔵スペースＳ３は、蓋部Ｓ３０の方向が座板部材Ａ１３と対面するようにされている。
すなわち、本形態の送信機１は、第１内蔵スペースＳ１及び第２内蔵スペースＳ２並びに第４内蔵スペースＳ４を、送信機１を取り付けた状態でケーブル２１の配線作業や電池交換作業等ができるような方向に設け、第３内蔵スペースＳ３を座板部材Ａ１３に対面させることで雨水等から基盤Ｃ３を保護する方向に設けている。
【００２５】
第１内蔵スペースＳ１及び第２内蔵スペースＳ２には、共に、後述するケーブル挿通空間６の一部を構成する挿通部４が形成され、蓋部Ｓ１０及び蓋部Ｓ２０には、前記ケーブル挿通空間６の一部を構成する嵌合部５が形成されている(図３参照)。
尚、第１内蔵スペースＳ１と第２内蔵スペースＳ２の構造は同一であるので、以下の説明では、第１内蔵スペースＳ１のみを説明し、第２内蔵スペースＳ２の説明は、同符号を付すことにより省略する。
【００２６】
前記挿通部４は、第１内蔵スペースＳ１の、開閉体幅方向側に位置する側壁Ｓ１１に、その開放端縁から底部方向へ向かって、その幅をケーブル２１の径と略同幅に切欠き形成され、その底側にケーブル２１の略半径部位が適合する形状とするケーブル挟持部４１を形成してある。
前記嵌合部５は、蓋部Ｓ１０の裏側に、前記挿通部４に対してその開放部側から適合状に嵌合する幅として突設され、その先端にケーブル２１の略半径部位が適合する形状とするケーブル挟持部５１を形成してある。
そして、第１内蔵スペースＳ１を蓋部Ｓ１０で塞いだ際に、前記嵌合部５が挿通部４に嵌合することによって、ケーブル挟持部４１，５１同士が対面して、ケーブル２１と略同径の前述のケーブル挿通空間６が形成される。
【００２７】
第１内蔵スペースＳ１の防水構造は、当該第１内蔵スペースＳ１の内側に適合状に嵌合される蓋状パッキング７により構成されるものである。
具体的には、第１内蔵スペースＳ１の側壁内側に、前記蓋状パッキング７を密着状に支持する支持突起７１が周設されている。
又、前記支持突起７１の密着面７１Ａに、前記挿通部４のケーブル挟持部４１とケーブル挿通方向に同形状で連続するケーブル嵌合溝７２を形成する一方、蓋状パッキング７の裏面に、前記ケーブル嵌合溝７２と対面するとともに、前記嵌合部５のケーブル挟持部５１とケーブル挿通方向に同形状で連続するケーブル嵌合溝７３を形成し、両ケーブル嵌合溝７２，７３を対面させた状態で蓋状パッキング７を前記支持突起７１の密着面７１Ａに密着させた際に、前記ケーブル挿通空間６と同形状で連続するケーブル挟持空間８が形成される。
【００２８】
すなわち、ケーブル２１を第１内蔵スペースＳ１に挿通する際に、ケーブル２１をその側面部から挿通部４の開放部側より挿し入れてコネクターＣ１に接続し、前記ケーブル挟持部４１とケーブル嵌合溝７２に嵌合する。
更に、前記蓋状パッキング７を前記した方法で第１内蔵スペースＳ１に嵌合することによって形成された前記ケーブル挟持空間８にケーブル２１が略適合状に挟持挿通される。
そして、蓋部Ｓ１０を前記した方法で第１内蔵スペースＳ１を塞ぐことによって、前記挿通空間６にケーブル２１が略適合状に挿通される。
このとき、蓋状パッキング７は、前記支持突起７１の密着面７１Ａ、前記第１内蔵スペースＳ１の側壁、ケーブル２１、蓋部Ｓ１０に密着することによって防水構造を構成する。
【００２９】
又、防水構造の一部として、第１内蔵スペースＳ１内のコネクターケーブルＣ２を、上方側寄り(開閉体Ａ１の開放方向側寄り)に第４内蔵スペースＳ４へ挿通させ、前記ケーブル挿通空間６及びケーブル挟持空間８を上方側寄り(開閉体Ａ１の開放方向側寄り)に設定し、更に、コネクターＣ１とケーブル２１を第１内蔵スペースＳ１の上方側寄り(開閉体Ａ１の開放方向側寄り)で接続することによって、万が一浸水した場合でも、その水は、第１内蔵スペースＳ１の下方側(開閉体Ａ１の閉鎖方向側)に溜まるので、前記上方側寄り(開閉体Ａ１の開放方向側寄り)で接続されたコネクターＣ１とコネクターケーブルＣ２に対する浸水による悪影響を少なくできる。
尚、ケーブル２１の挿通部４を送信機１の左右に配置される第１内蔵スペースＳ１と第２内蔵スペースＳ２とで高さ方向(開閉体開閉方向)に位置をずらして設けてもよい。
このようにすることにより、前記両内蔵スペースの蓋部Ｓ１０，Ｓ２０を同形状のものとすることが可能となって部材の共通化が図れる。
【００３０】
更に、本形態の蓋部Ｓ１０は、第１内蔵スペースＳ１に対し、蓋部Ｓ１０に開孔されたビス孔Ｓ１２の外側からビスＤを螺合して固定する構成であるため、第１内蔵スペースＳ１には、ビス孔Ｄ１０が形成された支持体Ｄ１が立設されている(図５参照)。
前記支持体Ｄ１は、その先端部位Ｄ１１が前記支持突起７１の密着面７１Ａと同面にされ、前記先端部位Ｄ１１に前記蓋状パッキング７が密着するようにされている。
そして、前記蓋状パッキング７には、ビスＤの貫通孔７４が形成されていて、第１内蔵スペースＳ１にこの蓋状パッキング７を前記のように嵌合し、蓋部Ｓ１０を被せてビスＤで固定することによって、蓋状パッキング７が前記先端部位Ｄ１１に密着して前記ビス孔Ｓ１２からの浸水を防ぐことができる。
尚、前記コネクターＣ１とケーブル２１の接続部や第１内蔵スペースＳ１内のコネクターケーブルＣ２の第４内蔵スペースＳ４への挿通部の防水構造として、前記接続部を防水効果を有する素材で被覆したり、挿通部を塞いだりすることも効果的である(図示せず)。
前記防水効果を有する素材として、例えば、シリコン材やグリス材等の撥水製を有する粘性素材、ビニールテープ、ゴム材、合成樹脂材等が挙げられる。
又、第１内蔵スペースＳ１及び第２内蔵スペースＳ２は、結線後のコネクターＣ１の接続部を収納することができるばかりでなく、ケーブル２１等の余剰分を収納することも可能であり、この場合、前記ケーブル２１等の余剰分を支持体Ｄ１の周囲に巻付けて収納する等とすればよい。
【００３１】
又、第１内蔵スペースＳ１のコネクターＣ１にケーブル２１を接続する場合、他方の第２内蔵スペースＳ２には、前記ケーブル挿通空間６と同形状で連続するケーブル挟持空間８による貫通孔Ｅが生じるため、この貫通孔Ｅからの浸水を防ぐ必要がある。
本形態では、前記貫通孔Ｅにケーブル２１と同径の栓蓋９を嵌合することによって、この貫通孔Ｅに防水構造を構成している(図６参照)。
栓蓋９は、嵌合状態における抜け止め用の鍔部９１を有していて、この鍔部９１が貫通孔Ｅの内側端部に引っ掛かることにより、抜け止めがされている。
又、栓蓋９の嵌合方法は、前記ケーブル２１の挿通方法と略同一方法であって、すなわち、鍔部９１を第２内蔵スペースＳ２の内側に向けた状態で、栓蓋９をその側面部から挿通部４の開放部側より挿し入れて、前記ケーブル挟持部４１とケーブル嵌合溝７２に嵌合する。
更に、前記蓋状パッキング７を前記した方法で第２内蔵スペースＳ２に嵌合することによって形成された前記ケーブル挟持空間８に栓蓋９が略適合状に挟持挿通される。
そして、蓋部Ｓ２０を前記した方法で第２内蔵スペースＳ２を塞ぐことによって、前記挿通空間６に栓蓋９が略適合状に挿通される。
このとき、蓋部Ｓ２０をビスＤで固定することにより、蓋状パッキング７が前記支持突起７１の密着面７１Ａ、前記第２内蔵スペースＳ２の側壁、栓蓋９、蓋部Ｓ２０に密着して防水構造を構成する。
尚、栓蓋９は、蓋部Ｓ２０を外さずに着脱可能な構成にしてもよく、例えば、前記で例示した構成の栓蓋９を貫通孔Ｅの外側から挿通するようにすれば、蓋部Ｓ２０を外さずに着脱できる。
【００３２】
第３内蔵スペースＳ３及び第４内蔵スペースＳ４の防水構造は、共に、開放端部の内側全周に亘ってパッキングＰが装着され、両内蔵スペースを蓋部Ｓ３０，Ｓ４０で塞ぐ際に、当該蓋部Ｓ３０，Ｓ４０の裏面がパッキングＰに密着することで構成される構造のものである。
又、蓋部Ｓ３０は、第３内蔵スペースＳ３に対して、ビスＤ２を螺合することにより固定され、ビスＤ２を外すことにより第３内蔵スペースＳ３から取外せるようになっている。
又、蓋部Ｓ４０は、第４内蔵スペースＳ４に対して、コインやドライバー等の治具を用いてロック及びロック解除する周知のロック機構Ｒをロックすることにより固定され、ロック解除することにより第４内蔵スペースＳ４から取外せるようになっている。
【００３３】
第４内蔵スペースＳ４に配設された電池ボックスＣ４は、電池Ｃ４１の挿入方向が正確でないと通電されないような構造を有している。
具体的には、図２に示すように、＋側電極Ｓ４１を電池Ｃ４１の＋側部Ｃ４２が挿入される凹部Ｓ４２の底側に設け、電池Ｃ４１を入れた際に、その＋側部Ｃ４２が凹部Ｓ４２に挿入されるとともに、−側電極Ｓ４３の付勢力によって＋側電極Ｓ４１に押し付けられて接触するようにしている。
又、前記構造において、電池Ｃ４１を逆方向に入れた際には、その−側部Ｃ４３が前記凹部Ｓ４２の入口側端部Ｓ４２'に接触することで＋側電極Ｓ４１に接触せず、これにより誤った方向に電池Ｃ４１を入れた際の通電を防ぐことができ、逆方向の通電による回路等への悪影響を防ぐことができる。
【００３４】
前記の構造は、電池Ｃ４１の挿入方向が逆である場合に通電されない構造であるが、図８及び図９に示す構造は、電池Ｃ４１の挿入方向を指定せず、正逆いずれの方向でも、正しく通電するようにした構造である。
具体的には、電池ボックスＣ４の両側に、電池Ｃ４１の＋側部Ｃ４２が挿入される凹部Ｓ４４，Ｓ４５を形成し、その底部に＋側電極Ｓ４１，Ｓ４１'を設け、凹部Ｓ４４，Ｓ４５の入り口側端部に−側電極Ｓ４３，Ｓ４３'を設けている。
又、−側電極Ｓ４３，Ｓ４３'は、電池Ｃ４１を互いに対面する凹部Ｓ４４，Ｓ４５へ付勢力を与えるようなばね構造(図示では、板ばね構造)を有しており、この付勢力によって電池ボックスＣ４に入れられた電池Ｃ４１に対して、その＋側部Ｃ４２を＋側電極Ｓ４１，Ｓ４１'に押し付けて接触させるようにしている。
又、−側電極Ｓ４３，Ｓ４３'は、突出状の＋側部Ｃ４２周りの絶縁体Ｃ４４の外側、又は絶縁体Ｃ４４の内側に接触せず、且つ絶縁体Ｃ４４に接触する位置にあって、電池Ｃ４１を入れた際に、その−側電極Ｓ４３，Ｓ４３'に通電されないようにしている。
そして、前記各電極に配線される配線構造は、両＋側電極Ｓ４１，Ｓ４１'に配線されたケーブル２２，２３を接続して一本のケーブル２４として基盤Ｃ３へ接続し、両−側電極Ｓ４３，Ｓ４３' に配線されたケーブル２５，２６を接続して一本のケーブル２７として基盤Ｃ３へ接続する構造にしている。
この電池ボックスＣ４の構造によれば、電池Ｃ４１の挿入方向が指定されず、正逆いずれの方向でも正しく挿入することができるので、例えば、電池ボックスＣ４が見難い状況での電池Ｃ４１の挿入作業を極めて容易に行うことができる。
【００３５】
符号Ｆは、送信機１を座板部材Ａ１３に取り付けるための取付け板であり、送信機１の両端部に一体形成されている。
取り付け板Ｆは、その開閉体Ａ１側縁から座板部材Ａ１３側縁に亘る側面略Ｌ字状に形成され、開閉体Ａ１側縁の板体Ｆ１には、座板部材Ａ１３の開閉方向側面に固定するためのねじ孔Ｆ２が開孔され、座板部材Ａ１３側縁の板体Ｆ３には、座板部材Ａ１３の厚み方向側面に固定するとともに、その取付け位置を厚さ方向に調節するための長孔Ｆ４が形成されている(図７参照)。
すなわち、送信機１を座板部材Ａ１３に取り付ける際に、送信機１を最も開閉体Ａ１側で固定する場合には、ねじ孔Ｆ２を用いてビスＤ３で固定し、当該位置よりも開閉体Ａ１から離間する厚み方向側へ移動させた位置に固定する場合には、長孔Ｆ４を用いてビスＤ４で固定するようにしている。
前記ねじ孔Ｆ２と長孔Ｆ４は、例えば、開閉体Ａ１を開放方向に動作させて収納ケースＡ３１内に収納させるときに、送信機１が収納ケースＡ３１の開閉体Ａ１の通路となる開口部(図示せず)の縁部に干渉しない位置にしたり、送信機１からの信号を正確に受信機３に受信させる位置にしたりする際に、最も適した位置にするために使い分けることができる。
すなわち、ねじ孔Ｆ２を用いて固定する位置からねじ孔Ｆ４を用いて送信機１を厚さ方向へ移動可能な距離まで、現場において最適な位置となるように移動させて、当該最適な位置で送信機１を取り付けることができる。
【００３６】
尚、本発明は、例示した形態に限定するものでは無く、特許請求の範囲の各項に記載された内容から逸脱しない範囲の構成による実施が可能である。
例えば、前記で例示した形態では、コネクターＣ１及びコネクターケーブルＣ２を内蔵する内蔵スペースを第１及び第２内蔵スペースとして２箇所設けた形態を例示しているが、本発明では、第１内蔵スペースＳ１と第２内蔵スペースＳ２のいずれか一方を有する送信機１としてもよい(図示せず。)
又、前記で例示した形態では、電源に電池を用いた形態を例示しているが、本発明ではこの電池以外の電源としてＡＣ／ＤＣ電源を用いてもよい(図示せず)。
【産業上の利用可能性】
【００３７】
本発明の送信機は、例示した開閉体装置の障害物感知装置に用いられる送信機以外の送信機においても利用可能である。
【図面の簡単な説明】
【００３８】
【図１】本発明に係る送信機を開閉体装置に取り付けた状態を示す。
【図２】(ａ)は、本発明に係る送信機の一部切欠正面図、(ｂ)は(ａ)の(ｂ)矢視図。
【図３】図２の(３)-(３)線断面図。
【図４】図２の(４)-(４)線断面図。
【図５】図２の(５)-(５)線断面図。
【図６】図２の(６)-(６)線断面図。
【図７】図２の(７)-(７)線断面図。
【図８】電池ボックスの他の形態を示す。
【図９】図８の(９)-(９)線断面図。
【符号の説明】
【００３９】
１：送信機
２：センサー
３：受信機
４：挿通部
５：嵌合部
６：ケーブル挿通空間
７：蓋状パッキング
２１：ケーブル
４１：ケーブル挟持部
５１：ケーブル挟持部
７１：支持突起
Ａ：開閉体装置
Ａ１：開閉体
Ａ２：ガイドレール
Ａ３：巻取装置
Ａ１３：座板部材
Ｂ：障害物
Ｃ１：コネクター
Ｃ２：コネクターケーブル
Ｃ３：基盤
Ｃ４：電池ボックス(電源)
Ｓ：内蔵スペース
Ｓ１：第１内蔵スペース
Ｓ２：第２内蔵スペース
Ｓ３：第３内蔵スペース
Ｓ４：第４内蔵スペース
Ｓ１０，Ｓ２０，Ｓ３０，Ｓ４０：蓋部
７１Ａ：密着面
７２：ケーブル嵌合溝
７３：ケーブル嵌合溝
８：ケーブル挟持空間
Ｄ１：支持体
Ｄ１１：先端部位
７４：貫通孔
Ｓ１２：ビス孔
Ｅ：貫通孔
９：栓蓋
９１：鍔部
【図１】
2007036825.tif 000003
【図２】
2007036825.tif 000004
【図３】
2007036825.tif 000005
【図４】
2007036825.tif 000006
【図５】
2007036825.tif 000007
【図６】
2007036825.tif 000008
【図７】
2007036825.tif 000009
【図８】
2007036825.tif 000010
【図９】
2007036825.tif 000011